(57)【要約】【課題】ペーパータオル用ロール９の取り出し容器１では、紙ウェブはロールの外側あるいは内側から引き出されるが、この時引き出された紙片１２がねじれるという欠点がある。【解決手段】本発明は、紙ロールが紙ウェブの動く方向に直角な軸を中心として回転させる、あるいは好ましくは平行六面体であり、その一端が引き出せる紙ユニット９の働きによって、この問題を解決するものである。【選択図】  図１
2005013579.tif 000002
【特許請求の範囲】
【請求項１】
上部、周縁部および内部に収納した生地ウェブを引き出すための開口部を有する底部からなる取り出し容器で、本質的に所定の長さのロール状生地、所定の長さの折りたたんだ生地ウェブ、または他の方法で集積した所定の長さの生地ウェブからなるユニット９を取り出し容器１内に横向きに配し、開口部６の幅が生地ウェブユニット９の幅よりも狭いことを特徴とする取り出し容器。
【請求項２】
引き出される生地が所定の長さの生地ウェブを形成する紙からなる、請求項１に記載の取り出し容器。
【請求項３】
ユニット９が漏斗状開口部６と間隔を空けて配置されることを特徴とする請求項１に記載の取り出し容器。
【請求項４】
背面に１本または複数のスペーサ部品を有し、所望の距離を置いて設置できることを特徴とする請求項１に記載の取り出し容器。
【請求項５】
開口部を設けた棚４の上にユニット９を載置することを特徴とする請求項３に記載の取り出し容器。
【請求項６】
棚４にユニット９の境界となる壁２および３を設けることを特徴とする請求項４に記載の取り出し容器。
【請求項７】
棚４の下端から漏斗状ユニット７が突出し、その開口部が前記の底部の開口部につながることを特徴とする請求項４に記載の取り出し容器。
【請求項８】
漏斗状ユニット７が円錐状である請求項７に記載の取り出し容器。
【請求項９】
漏斗状ユニット７の開口部出口に、紙を所望の長さに切るための刃状手段を有することを特徴とする請求項６に記載の取り出し容器。
【発明の詳細な説明】
【０００１】
【発明の属する技術分野】
本発明はユニット状に組み込んだ生地ウェブの取り出し容器に関する。
【０００２】
【従来の技術】
例えばペーパータオルなどの生地ウェブはユニット状に組み込み、取り出し容器に入れることができる。生地ウェブはこの取り出し容器から所望の長さで切り取り、適した目的に使うことができる。生地ウェブは、ロール状または折りたたんだ生地ウェブから成る任意のユニット状に組み込んで、平行六面体のユニットを形成する。ユニットは１枚の紙ウェブで構成する場合もあり、また紙は同サイズに分割してもよい。従来使用されてきた家庭用紙ローラーでは、紙を外側から使う場合は家庭用ロールが垂直軸の回りで回転し、内側から使う場合にはロールは静止した状態で、紙を取り出す。前記の生地ユニットを取り出し容器内に入れる理由は、盗難の恐れが少なくないためである。垂直の紙ロールから紙を取り出す方法には、取り出し容器内で紙生地の向きが変わると絡まる可能性があるという欠点がある。
【０００３】
【発明が解決しようとする課題】
本発明の目的は上記の問題を解決することにあり、生地ユニットから取り出す生地の向きを変えずにすむように、生地ユニットを取り出し容器内に設置することを特徴とする。つまり、生地ユニットの動く方向が生地ウェブの動く方向と明らかに一致するように、取り出し容器内に設置する。これは、例えば、取り出し容器内に設置した家庭用ロールが横軸方向に回転するとすれば、生地ユニットも同様にしてそこから取り出す生地ウェブが方向を変えないということである。
【０００４】
【課題を解決するための手段】
本発明によれば、生地ユニットは取り出し容器内の横向きの棚に適切に設置し、その棚の下部に開口部を設け、取り出し容器の開口部から紙片を取り出す。取り出し容器の開口部には紙生地を所望の長さで切り取れるような仕組みを設ける。紙をある長さで切り取ると、実質的に平らな紙片を取り出すことができる。より具体的には、本発明は以下のユニット状に組み込んだ生地ウェブの取り出し容器を提供する。
【０００５】
〔１〕  上部、周縁部および内部に収納した生地ウェブを引き出すための開口部を有する底部からなる取り出し容器で、本質的に所定の長さのロール状生地、所定の長さの折りたたんだ生地ウェブ、または他の方法で集積した所定の長さの生地ウェブからなるユニット９を取り出し容器１内に横向きに配し、開口部６の幅が生地ウェブユニット９の幅よりも狭いことを特徴とする取り出し容器。
〔２〕  引き出される生地が所定の長さの生地ウェブを形成する紙からなる、請求項１に記載の取り出し容器。
〔３〕  ユニット９が漏斗状開口部６と間隔を空けて配置されることを特徴とする〔１〕に記載の取り出し容器。
〔４〕  背面に１本または複数のスペーサ部品を有し、所望の距離を置いて設置できることを特徴とする〔１〕に記載の取り出し容器。
〔５〕  開口部を設けた棚４の上にユニット９を載置することを特徴とする〔３〕に記載の取り出し容器。
〔６〕  棚４にユニット９の境界となる壁２および３を設けることを特徴とする〔４〕に記載の取り出し容器。
〔７〕  棚４の下端から漏斗状ユニット７が突出し、その開口部が前記の底部の開口部につながることを特徴とする〔４〕に記載の取り出し容器。
〔８〕  漏斗状ユニット７が円錐状である〔７〕に記載の取り出し容器。
〔９〕  漏斗状ユニット７の開口部出口に、紙を所望の長さに切るための刃状手段を有することを特徴とする〔６〕に記載の取り出し容器。
【０００６】
【発明の実施の形態】
【０００７】
本発明の実施の態様について、３枚の図を参照して下記に詳しく記述する。図１、２および３は取り出し容器から紙を取り出す３つの異なる段階を示す。
【０００８】
図１〜３は、平行六面体のユニットを形成するように折りたたんだ紙片９の取り出し容器１を示す。取り出し容器１は矩形の断面を有しており、紙ユニット９の断面に対応する。取り出し容器１は１または複数の部分から成り、一般的には閉じて鍵がかかるように設計する。２つの部分から成る取り出し容器を製造するには多数の方法があり得る。取り出し容器の２枚の垂直な横壁２および３は、折りたたんだ紙片からなり、そこから紙片を取り出す平行六面体の紙ウェブユニット９を支え、あるいは誘導する２枚の壁を構成する。取り出し容器の底部は２枚の傾斜した壁４および５で構成され、これらの傾斜した底部の部品は開口部を有する中間部６で結合する。この開口部に漏斗７を置き、その空いている端部に引き出された紙を切り取るのを補助する装置８を設ける。図示した底部の代わりに、漏斗開口部の上部に棚を設置してもよい。この棚は漏斗の入口とは間隔を空ける。棚には中央に開口部があり、棚の開口部周りの部品は、棚の上に置く折りたたんだ紙ウェブユニット９を支えるように設計する。取り出し容器は壁に取り付けるように意図され、２本のスペーサ１３および１４をこの目的に使用し、数本のスペーサ同士を重ねて置いてもよい。前記のスペーサの利点は、屋外の配水管や他の配管の外側に取り出し容器を設置できることである。図示した取り出し容器は以下のように機能する。
【０００９】
図面では、折りたたんだ紙ウェブユニット９には漏斗７の開口部からの突出部がある。この紙ウェブユニットの突出部を１０とする。人の手１１がこの突出部１０を握り、所望の長さの紙片１２を得るまで引っ張る。切り取られた紙片１２は切り取り縁部８で切られるとすぐに平らな紙片になり、直ちに使用できる。本発明の利点は、このように紙片を引き出し、また切り取って、手から離すとすぐに平らで長方形の紙片を得ることができることにある。
【図面の簡単な説明】
【図１】図１は、ユニット状に組み込んだ生地ウェブの取り出し容器の構造の概略を示す模式図である。
【図２】図２は、人の手が紙ウェブユニットの突出部を握り、所望の長さの紙片を得るまで引っ張る状態を示す模式図である。
【図３】図３は、生地ウェブの取り出し容器、及び切り取り縁部で切り取られた紙片を示す模式図である。
【符号の説明】
１    取り出し容器
２    垂直な横壁
３    垂直な横壁
４    傾斜した壁
５    傾斜した壁
６    開口部
７    漏斗状ユニット
８    紙片切り取り縁部
９    紙ウェブユニット
１０    紙ウェブユニットの突出部
１１    人の手
１２    紙片
１３    スペーサ
１４    スペーサ
【図１】
2005013579.tif 000003
【図２】
2005013579.tif 000004
【図３】
2005013579.tif 000005